(57)【特許請求の範囲】
【請求項１】
配電盤本体と、上記配電盤本体に取り付けられ、上記配電盤本体に導入される複数の回路の外部ケーブルが上記回路毎に電気的に接続される端子台と、上記配電盤本体に取り付けられ、上記端子台に電気的に接続される制御用機器と、上記端子台と上記制御用機器とを電気的に接続する盤内配線とを備え、上記外部ケーブルを導入する導入口を有する箱体と、上記箱体内空間を仕切り、上記導入口から導入された上記外部ケーブルを上記回路毎に分離して上記箱体から導出する分離用バリアとを備えたケーブル分離用処理箱を上記配電盤本体内に設けた配電盤において、
上記分離用バリアは、上記外部ケーブルの上記回路毎の量に応じて、上記箱体内の仕切りの空間を調整できるようにしたことを特徴とする配電盤。
【請求項２】
上記ケーブル分離用処理箱の複数個を平面状にブロック化して上記配電盤本体内に配置したことを特徴とする請求項１記載の配電盤。
【請求項３】
上記ケーブル分離用処理箱の上部に人が乗ることができるフロアパネルを設けたことを特徴とする請求項１ないし請求項２のいずれかに記載の配電盤。
【発明の詳細な説明】
【技術分野】
【０００１】
本発明は、複数の外部ケーブルを配電盤内に導入し、盤内配線するための外部ケーブルを収納するケーブル分離用処理箱を収納した配電盤に関するものである。
【背景技術】
【０００２】
従来の複数の外部ケーブルを分離して配電盤内に導入し、盤内配線する方式として、例えば、特許文献１に開示されているように、回路Ａの外部ケーブルと回路Ｂの外部ケーブルとを分離して配線ピット内に固定し、各回路の外部ケーブルの端末処理部をそれぞれ、配電盤内に固定した端子台に接続する方式が採用されていた。
【０００３】
【特許文献１】実開昭６３−７０２４号公報（第４−６頁、第１図）
【発明の開示】
【発明が解決しようとする課題】
【０００４】
上記特許文献１に記載のような従来の方法では、各回路の外部ケーブルを立ち上げて盤内に導入し、盤内に設けた端子台に各回路の外部ケーブルの端末処理部を接続して各計測器等へ盤内配線するが、例えば、各回路の外部ケーブルが各ケーブルトレーを通って左右異なる方向から配電盤内に導入されるといったような外部ケーブルの導入ルートの制約により、各外部ケーブルの配電盤内への立ち上がり位置をクロスさせることができない等といった制約が加わり、盤内の配線が効率的となる端子台の位置との整合性がとれない場合が生じ、各回路の外部ケーブルの端子台から各計測器等への盤内配線が複雑になり、効率的な盤内配線が難しくなるという問題がある。
【０００５】
本発明は、上記のような問題を解決するためになされたものであり、各回路の外部ケーブルの配電盤内への立ち上がり位置を自由に制御することができ、盤内配線が効率的となる端子台へ各外部ケーブルを接続することができるようにして効率的な盤内配線ができるようにした配電盤を提供することを目的とする。
【課題を解決するための手段】
【０００６】
本発明に係る配電盤は、配電盤本体と、上記配電盤本体に取り付けられ、上記配電盤本体に導入される複数の回路の外部ケーブルが上記回路毎に電気的に接続される端子台と、上記配電盤本体に取り付けられ、上記端子台に電気的に接続される制御用機器と、上記端子台と上記制御用機器とを電気的に接続する盤内配線とを備え、上記外部ケーブルを導入する導入口を有する箱体と、上記箱体内空間を仕切り、上記導入口から導入された上記外部ケーブルを上記回路毎に分離して上記箱体から導出する分離用バリアとを備えたケーブル分離用処理箱を上記配電盤本体内に設けたものにおいて、
上記分離用バリアを、上記外部ケーブルの上記回路毎の量に応じて、上記箱体内の仕切りの空間を調整できるようにしたものである。
【発明の効果】
【０００７】
本発明に係る配電盤によれば、各回路の外部ケーブルの配電盤内への立ち上がり位置を自由に制御すると共に、異なる方向から導入される各回路毎の外部ケーブルの数量の違いに対応でき、盤内配線を効率的なものにすることができる。
【発明を実施するための最良の形態】
【０００８】
以下、図面に基づいて本発明の実施形態を説明する。
実施の形態１．
図１は、本発明に係る配電盤の実施の形態１を示す概念図であり、図２は、図１に示したケーブル分離用処理箱を示す斜視図である。
【０００９】
図１及び図２に示したように、本実施の形態１の配電盤は配電盤本体１、配電盤本体１に導入される回路Ａの外部ケーブル２ａ、配電盤本体１に導入される回路Ｂの外部ケーブル２ｂ、配電盤本体１に固定されて外部ケーブル２ａを接続する回路Ａ用端子台４ａ、配電盤本体１に固定されて外部ケーブル２ｂを接続する回路Ｂ用端子台４ｂ、配電盤本体１に収納し取り付けられた計測器等の制御用機器５、回路Ａ用端子台４ａから制御用機器５の回路Ａ側に接続する回路Ａの盤内配線６ａ、回路Ｂ用端子台４ｂから制御用機器５の回路ｂ側に接続する回路Ｂの盤内配線６ｂ、配電盤本体１に収納できる寸法のケーブル分離用処理箱７を備え、ケーブル分離用処理箱７は、回路Ａの外部ケーブル２ａの導入口８ａ、回路Ｂの外部ケーブル２ｂの導入口８ｂが設けられ箱体と、箱体内を仕切り、回路Ａの外部ケーブル２ａと回路Ｂの外部ケーブル２ｂとを分離して回路Ａエリアと回路Ｂエリアを形成して各外部ケーブル２ａ，２ｂを導出する板状部材からなる分離用バリア９、回路Ａの外部ケーブル２ａ及び回路Ｂの外部ケーブル２ｂそれぞれを支持するケーブルサポート材１０ａ、１０ｂが設けて構成されている。箱体の上部には、ケーブル分離用処理箱７用のカバー１１が設けられている。
【００１０】
次に、図１及び図２に基づき、盤内配線の方法について説明する。
回路Ａの外部ケーブル２ａが左側から導入され、回路Ｂの外部ケーブル２ｂが右側から導入され（異なる方向から導入されている。）、配電盤本体１に取り付けられた制御用機器５に接続すべき回路Ａが右側にあり、制御用機器５に接続すべき回路Ｂが左側にある（外部ケーブル２ａ，２ｂの導入側と反対側にある。）場合に、外部ケーブル２ａが左側の導入口８ａから導入され、ケーブル分離用処理箱７の右側から立ち上げられ、ケーブルサポート１０ａに固定されて配電盤本体１の右側に設けられた端子台４ａに外部ケーブル２ａの端末処理部が接続され、端子台４ａから各制御用機器５の回路Ａへの盤内配線６ａが設けられる。外部ケーブル２ｂは右側の導入口８ｂから導入され、ケーブル分離用処理箱７の左側から立ち上げられ、ケーブルサポート１０ｂに固定されて配電盤の左側に設けられた端子台４ｂに外部ケーブル２ｂの端末処理部が接続され、端子台４ｂから各制御用機器５の回路Ｂへの盤内配線６ｂが設けられる。
【００１１】
このように、本実施の形態１によれば、外部ケーブル２ａ，２ｂが反対側から導入され、外部ケーブル２ａ，２ｂの導入側と反対側に外部ケーブル２ａ，２ｂを電気的に接続する回路Ａ，Ｂがある場合に、ケーブル分離用処理箱７によって外部ケーブル２ａ，２ｂそれぞれが、外部ケーブル２ａ，２ｂそれぞれの回路Ａ，Ｂの盤内配線６ａ，６ｂが望ましくなされる端子台４ａ，４ｂに導出されるので、効率的な盤内配線ができる。
【００１２】
実施の形態２．
上記実施の形態１は、図２に示したように、外部ケーブル２ａと外部ケーブル２ｂの２本の場合について示したが、外部ケーブルの本数は２本に限られるものではなく、さらに多数量であり、異なる方向から導入される回路Ａの外部ケーブルと回路Ｂの外部ケーブルとの数量が異なる場合がある。
【００１３】
図３は、本発明に係る配電盤の実施の形態２におけるケーブル分離用処理箱を示す斜視図である。
図３に示したように、本実施の形態２では、分離用バリア９をケーブル分離用処理箱７の中で移動させて回路Ａエリアのスペースと回路Ｂエリアのスペースとの比を変えることができるようにしている。
【００１４】
本実施の形態２によれば、異なる方向から導入される回路Ａ及び回路Ｂの外部ケーブルの数量の違いに対応することができる。
【００１５】
実施の形態３．
上記実施の形態１及び２では、分離用バリア９を縦に設け左右異なる方向から導入され、左右異なる方向から導出される外部ケーブルに対応するようにしたが、外部ケーブルの導入方向及び導出方向は左右方向に限られるものではない。
【００１６】
図４は、本発明に係る配電盤の実施の形態３におけるケーブル分離用処理箱を示す斜視図である。
図４に示したように、本実施の形態３では、分離用バリア９をケーブル分離用処理箱７内に水平に取り付け、ケーブル分離用処理箱７の左側前面側に導入口８ａを設けて外部ケーブル２ａを導入口８ａから導入して右側後面側から導出し、左側後面側に導入口８ｂを設けて外部ケーブル２ｂを導入口８ｂから導入して右側前面側から導出するようにしたものである。
【００１７】
本実施の形態３によれば、外部ケーブル２ａ，２ｂが同一方向から導入され、外部ケーブル２ａ，２ｂの導出方向がクロスする方向に各外部ケーブル２ａ，２ｂを電気的に接続する回路Ａ，Ｂが設けられている場合に、外部ケーブル２ａを左側前面側の導入口８ａから導入して右側後面側から導出し、外部ケーブル２ｂを左側後面側の導入口８ｂから導入して右側前面側から導出することができ、盤内配線に効率的な端子台へ外部ケーブル２ａ，２ｂを接続することができる。
【００１８】
なお、図４では導入口８ａ，８ｂを左側に設ける例を示したが、左側前面側及び後面側、右側前面側及び後面側の４箇所に導入口を設けてその導入口を利用することにより、種々の導入及び導出の形態を創出することができる。
【００１９】
実施の形態４．
図５は、本発明に係る配電盤の実施の形態４におけるケーブル分離用処理箱を示す斜視図である。
図５に示したように、本実施の形態４では、ケーブル分離用処理箱７内の分離用バリア９の形状をＬ字形状にしてＬ字状部材を左側前面側の角に取り付け、左側前面側のＬ字形状の仕切り内に導入孔８ａを設け、左側後面側に導入孔８ｂを設けている。
【００２０】
本実施の形態４によれば、外部ケーブル２ａ，２ｂが同一方向から導入され、外部ケーブル２ａについては、左側前面側に盤内配線に効率的な端子台が設けられ、外部ケーブル２ｂについては、右側前面側に盤内配線に効率的な端子台が設けられているような場合に、外部ケーブル２ａを左側前面側の導入口８ａから導入して左側前面側から導出し、外部ケーブル２ｂを左側後面側の導入口８ｂから導入して右側前面側から導出することができ、盤内配線に効率的な端子台へ外部ケーブル２ａ，２ｂを接続することができる。
【００２１】
実施の形態５．
図６は、本発明に係る配電盤の実施の形態５におけるケーブル分離用処理箱を示す斜視図である。
図６に示したように、本実施の形態５では、複数個のケーブル分離用処理箱７を平面状に配置してブロック化し、複数個のケーブル分離用処理箱７を組み合わせて配電盤本体内に配置している。
【００２２】
本実施の形態５によれば、配電盤本体の奥行き方向及び幅左右に複雑に広がる外部ケーブル２ａ，２ｂの構成に対して、その複雑に広がる外部ケーブル２ａ，２ｂに適する構造のケーブル分離用処理箱７を配置し、ブロック化したケーブル分離用処理箱７内において分離し整理して、外部ケーブル２ａ，２ｂを効率的な盤内配線に対応することができる端子台へ導入することができる効果がある。
【００２３】
例えば、配電盤本体１の底面が十分に広く、奥行き方向及び幅方向に十分なスペースが確保できる場合には、特にその効果を発揮することができる。
【００２４】
実施の形態６．
図７は、本発明に係る配電盤の実施の形態６におけるケーブル分離用処理箱を示す斜視図である。
図７に示したように、本実施の形態６は、各ケーブル分離用処理箱７の上面に補強材１２を設け、補強材１２の上に、人が乗ることができるフロアパネル１３を設置するものである。
【００２５】
本実施の形態６によれば、中通路盤のような配電盤内に人が入り通行するような大型配電盤に対して有効に利用できる。
【産業上の利用可能性】
【００２６】
本発明に係る配電盤は、建物内の床面に配備されているケーブルとの接続を必要とする配電盤として有効利用することができる。
【図面の簡単な説明】
【００２７】
【図１】本発明に係る配電盤の実施の形態１を示す概念図である。
【図２】図１に示したケーブル分離用処理箱を示す斜視図である。
【図３】本発明に係る配電盤の実施の形態２におけるケーブル分離用処理箱を示す斜視図である。
【図４】本発明に係る配電盤の実施の形態３におけるケーブル分離用処理箱を示す斜視図である。
【図５】本発明に係る配電盤の実施の形態４におけるケーブル分離用処理箱を示す斜視図である。
【図６】本発明に係る配電盤の実施の形態５におけるケーブル分離用処理箱を示す斜視図である。
【図７】本発明に係る配電盤の実施の形態６におけるケーブル分離用処理箱を示す斜視図である。
【符号の説明】
【００２８】
１  配電盤本体、２ａ，２ｂ  外部ケーブル、４ａ，４ｂ  端子台、５  制御用機器、
６ａ，６ｂ  盤内配線、７  ケーブル分離用処理箱、８ａ，８ｂ  導入口、
９  分離用バリア、１０ａ，１０ｂ  ケーブルサポート材、１１  カバー、
１２  補強材、１３  フロアパネル。
【図１】
0004628940.tif 000002
【図２】
0004628940.tif 000003
【図３】
0004628940.tif 000004
【図４】
0004628940.tif 000005
【図５】
0004628940.tif 000006
【図６】
0004628940.tif 000007
【図７】
0004628940.tif 000008